(57)【要約】【課題】映像音声コンテンツに対して適切な仮想サラウンドモードに自動的に切り替えることができる表示装置及びテレビジョン受信機を提供する。【解決手段】入力部１３は映像音声信号から映像信号及び一又は複数の音声チャンネルからなる音声信号を抽出する。音声デコーダ部１６１は入力部１３が抽出した音声信号から音声チャンネル数を抽出する。処理部１６２ｃは、入力部１３が抽出した音声信号に、音声デコーダ部１６１が抽出した音声チャンネル数に応じた位置に仮想音声出力装置を配置する仮想サラウンドに係る処理を施す。【選択図】図２
2014014062.tif 000002
【特許請求の範囲】
【請求項１】
映像音声信号から映像信号及び一又は複数の音声チャンネルからなる音声信号を抽出する抽出部と、
該抽出部が抽出した映像信号に係る映像を表示する表示部と、
音声を出力する音声出力部と、
前記抽出部が抽出した音声信号に、仮想音声を出力する仮想音声出力装置を任意の位置に配置する仮想サラウンドに係る処理を施す処理部と
を備え、
前記処理部が仮想サラウンドに係る処理を施した音声信号に基づいて、前記音声出力部に音声を出力させる表示装置において、
前記抽出部が抽出した音声信号から音声チャンネル数を抽出する音声チャンネル数抽出部を備え、
前記処理部は、前記抽出部が抽出した音声信号に、前記音声チャンネル数抽出部が抽出した音声チャンネル数に応じた位置に前記仮想音声出力装置を配置する仮想サラウンドに係る処理を施すようにしてある
ことを特徴とする表示装置。
【請求項２】
前記処理部は、
音声チャンネル数及び該音声チャンネル数に応じた位置に仮想音声出力装置が配置された仮想サラウンドが対応付けて複数レコード記憶された記憶部と、
前記音声チャンネル数抽出部が抽出した音声チャンネル数に基づいて、前記記憶部から仮想サラウンドを検索する検索部と
を有し、
前記検索部が検索した仮想サラウンドに係る処理を、前記抽出部が抽出した音声信号に施すようにしてある
ことを特徴とする請求項１に記載の表示装置。
【請求項３】
前記記憶部に音声チャンネル数及び残響効果の程度が異なる仮想サラウンドが対応付けて複数レコード記憶されており、
前記検索部は、前記音声チャンネル数抽出部が抽出した音声チャンネル数に基づいて、前記記憶部から残響効果の程度が異なる仮想サラウンドを検索するようにしてあり、
前記処理部は、前記検索部が検索した残響効果の程度が異なる仮想サラウンドに係る処理を、前記抽出部が抽出した音声信号に施すようにしてある
ことを特徴とする請求項２に記載の表示装置。
【請求項４】
前記音声チャンネル数抽出部が抽出した音声チャンネル数に低音強調チャンネルの音声チャンネル数が含まれる場合、前記処理部が仮想サラウンドに係る処理を施した音声信号に低音強調処理を施す低音強調処理部を備え、
前記音声出力部は前記低音強調処理部が低音強調処理を施した音声信号に係る音声を出力するようにしてある
ことを特徴とする請求項１から請求項３までのいずれか一項に記載の表示装置。
【請求項５】
前記低音強調処理部は、前記音声チャンネル数抽出部が抽出した音声チャンネル数に応じて、異なるレベルの低音強調処理を施すようにしてある
ことを特徴とする請求項４に記載の表示装置。
【請求項６】
前記処理部は、前記音声チャンネル数抽出部が抽出した音声チャンネル数が２チャンネル以下である場合、前記抽出部が抽出した音声信号に仮想サラウンドに係る処理を施さないようにしてある
ことを特徴とする請求項１から請求項５までのいずれか一項に記載の表示装置。
【請求項７】
前記音声出力部は対のスピーカを有する
ことを特徴とする請求項１から請求項６までのいずれか一項に記載の表示装置。
【請求項８】
請求項１から請求項７までのいずれか一項に記載の表示装置と、
テレビジョン放送を受信する受信部と
を備え、
前記抽出部は前記受信部が受信したテレビジョン放送に係る映像音声信号から映像信号及び一又は複数の音声チャンネルからなる音声信号を抽出するようにしてある
ことを特徴とするテレビジョン受信機。
【発明の詳細な説明】
【技術分野】
【０００１】
本発明は、仮想サラウンド効果を実現する表示装置及びテレビジョン受信機に関する。
【背景技術】
【０００２】
仮想サラウンド（疑似サラウンド）機能を搭載するテレビジョン受信機がある。仮想サラウンドは、フロントのスピーカを用いて、マルチチャンネルの音声から構成されるサラウンド空間（音場）を仮想的に再現する音像定位技術である。映像音声コンテンツの入力ソース、ジャンル情報等の違いにより、自動的に仮想サラウンドへの設定を切り替えるテレビジョン受信機がある（例えば、特許文献１、２、３）。
【先行技術文献】
【特許文献】
【０００３】
【特許文献１】特開２０１０−５７１２６号公報
【特許文献２】特開昭６２−１３６９８０号公報
【特許文献３】特開２００４−２７４３７４号公報
【発明の概要】
【発明が解決しようとする課題】
【０００４】
ところで、テレビジョン受信機は、仮想サラウンド効果を施す場合であっても、例えば視聴者の前方に広がりのある仮想サラウンドモード、前後左右の周囲に広がりのある仮想サラウンドモード等、複数の仮想サラウンドモードを設定することができる。しかしながら、視聴者は、視聴している映像音声コンテンツに対してどの仮想サラウンドモードが適切かわからない。
【０００５】
本発明は、かかる事情に鑑みてなされたものである。その目的は、映像音声コンテンツに対して適切な仮想サラウンドモードに自動的に切り替えることができる表示装置及びテレビジョン受信機を提供することにある。
【課題を解決するための手段】
【０００６】
本願に係る表示装置は、映像音声信号から映像信号及び一又は複数の音声チャンネルからなる音声信号を抽出する抽出部と、該抽出部が抽出した映像信号に係る映像を表示する表示部と、音声を出力する音声出力部と、前記抽出部が抽出した音声信号に、仮想音声を出力する仮想音声出力装置を任意の位置に配置する仮想サラウンドに係る処理を施す処理部とを備え、前記処理部が仮想サラウンドに係る処理を施した音声信号に基づいて、前記音声出力部に音声を出力させる表示装置において、前記抽出部が抽出した音声信号から音声チャンネル数を抽出する音声チャンネル数抽出部を備え、前記処理部は、前記抽出部が抽出した音声信号に、前記音声チャンネル数抽出部が抽出した音声チャンネル数に応じた位置に前記仮想音声出力装置を配置する仮想サラウンドに係る処理を施すようにしてあることを特徴とする。
【０００７】
本願に係る表示装置では、映像音声信号から映像信号及び一又は複数の音声チャンネルからなる音声信号が抽出される。表示装置は、抽出した音声信号から音声チャンネル数を抽出する。表示装置は、抽出した音声信号に、抽出した音声チャンネル数に応じた位置に仮想音声を出力する仮想音声出力装置を配置する仮想サラウンドに係る処理を施す。
【０００８】
本願に係る表示装置は、前記処理部は、音声チャンネル数及び該音声チャンネル数に応じた位置に仮想音声出力装置が配置された仮想サラウンドが対応付けて複数レコード記憶された記憶部と、前記音声チャンネル数抽出部が抽出した音声チャンネル数に基づいて、前記記憶部から仮想サラウンドを検索する検索部とを有し、前記検索部が検索した仮想サラウンドに係る処理を、前記抽出部が抽出した音声信号に施すようにしてあることを特徴とする。
【０００９】
本願に係る表示装置では、記憶部及び検索部が備えられている。記憶部は、音声チャンネル数と、音声チャンネル数に応じた位置に仮想音声出力装置が配置される仮想サラウンドとを対応付けて複数レコード記憶している。検索部は、抽出した音声チャンネル数に基づいて記憶部から仮想サラウンドを検索する。表示装置は、検索部が検索した仮想サラウンドに係る処理を、抽出した音声信号に施す。
【００１０】
本願に係る表示装置は、前記記憶部に音声チャンネル数及び残響効果の程度が異なる仮想サラウンドが対応付けて複数レコード記憶されており、前記検索部は、前記音声チャンネル数抽出部が抽出した音声チャンネル数に基づいて、前記記憶部から残響効果の程度が異なる仮想サラウンドを検索するようにしてあり、前記処理部は、前記検索部が検索した残響効果の程度が異なる仮想サラウンドに係る処理を、前記抽出部が抽出した音声信号に施すようにしてあることを特徴とする。
【００１１】
本願に係る表示装置では、記憶部に音声チャンネル数と、残響効果の程度が異なる仮想サラウンドとが対応付けて複数レコード記憶されている。検索部は、抽出した音声チャンネル数に基づいて、記憶部から残響効果の程度が異なる仮想サラウンドを検索する。表示装置は、検索部が検索した残響効果の程度が異なる仮想サラウンドに係る処理を、抽出した音声信号に施す。
【００１２】
本願に係る表示装置は、前記音声チャンネル数抽出部が抽出した音声チャンネル数に低音強調チャンネルの音声チャンネル数が含まれる場合、前記処理部が仮想サラウンドに係る処理を施した音声信号に低音強調処理を施す低音強調処理部を備え、前記音声出力部は前記低音強調処理部が低音強調処理を施した音声信号に係る音声を出力するようにしてあることを特徴とする。
【００１３】
本願に係る表示装置では、抽出した音声チャンネル数に低音強調チャンネルの音声チャンネル数が含まれる場合、仮想サラウンドに係る処理を施した音声信号に低音強調処理を施す。
【００１４】
本願に係る表示装置は、前記低音強調処理部は、前記音声チャンネル数抽出部が抽出した音声チャンネル数に応じて、異なるレベルの低音強調処理を施すようにしてあることを特徴とする。
【００１５】
本願に係る表示装置では、抽出した音声チャンネル数に応じて、異なるレベルの低音強調処理を施す。
【００１６】
本願に係る表示装置は、前記処理部は、前記音声チャンネル数抽出部が抽出した音声チャンネル数が２チャンネル以下である場合、前記抽出部が抽出した音声信号に仮想サラウンドに係る処理を施さないようにしてあることを特徴とする。
【００１７】
本願に係る表示装置では、抽出した音声チャンネル数が２チャンネル以下である場合、抽出した音声信号に仮想サラウンドに係る処理は施されない。
【００１８】
本願に係る表示装置は、前記音声出力部は対のスピーカを有することを特徴とする。
【００１９】
本願に係る表示装置では、音声を出力する対のスピーカが備えられている。
【００２０】
本願に係るテレビジョン受信機は、上記に記載の表示装置と、テレビジョン放送を受信する受信部とを備え、前記抽出部は前記受信部が受信したテレビジョン放送に係る映像音声信号から映像信号及び一又は複数の音声チャンネルからなる音声信号を抽出するようにしてあることを特徴とする。
【００２１】
本願に係るテレビジョン受信機では、上記に記載の表示装置と、テレビジョン放送を受信する受信部とが備えられている。テレビジョン受信機は、受信部が受信したテレビジョン放送に係る映像音声信号から映像信号と、一又は複数の音声チャンネルからなる音声信号とを抽出する。
【発明の効果】
【００２２】
本願に係る表示装置等によれば、映像音声コンテンツに対して適切なサラウンドモードを自動的に切り替えることができる。
【図面の簡単な説明】
【００２３】
【図１】テレビジョン受信機の構成例を示すブロック図である。
【図２】音声制御部の機能構成例を示す機能ブロック図である。
【図３】仮想サラウンド効果設定テーブルのレコードレイアウトの一例を示す説明図である。
【図４】仮想サラウンド効果設定処理の手順の一例を示すフローチャートである。
【図５】仮想サラウンド効果設定処理の手順の一例を示すフローチャートである。
【図６】音声制御部の機能構成例を示す機能ブロック図である。
【図７】低音強調効果設定テーブルのレコードレイアウトの一例を示す説明図である。
【図８】低音強調処理の手順の一例を示すフローチャートである。
【図９】低音強調処理の手順の一例を示すフローチャートである。
【発明を実施するための形態】
【００２４】
本実施の形態に係る表示装置は、スピーカを備えるモニタ及びディスプレイ並びにテレビジョン受信機を含む。ここでのモニタ、ディスプレイは、例えばコンピュータに接続して使用される表示装置又はデジタルサイネージに利用される表示装置である。また、本実施の形態に係る表示装置は、ヘッドフォン又はステレオイヤフォンを接続することができるスマートフォン、携帯電話及びＰＤＡ（Personal Digital Assistant）を含む。以下では、本実施の形態における表示装置を、テレビジョン受信機を例に挙げて、実施の形態を示す図面に基づいて説明する。
【００２５】
実施の形態１
図１は、テレビジョン受信機１の構成例を示すブロック図である。テレビジョン受信機１は、受信部１１、外部ソースインタフェース１２及び入力部（抽出部）１３を含む。受信部１１は、アンテナ（図示せず）が受信した地上デジタル波又は衛星デジタル波に係る放送信号を入力し、入力した放送信号を制御部１８からの制御信号に基づいて選局するチューナである。受信部１１は、選局した放送信号を入力部１３に出力する。
【００２６】
外部ソースインタフェース１２は、外部から映像音声コンテンツのデータ又は信号を受け付けるインタフェースである。外部ソースインタフェース１２は、例えばＨＤＭＩ（High-Definition Multimedia Interface）、ＵＳＢ（Universal Serial Bus）、ケーブルテレビ用のケーブル、ＤＬＮＡ（Digital Living Network Alliance）等のコネクタである
。また、外部ソースインタフェース１２は、インターネット等のネットワークと接続するコネクタも有する。そのため、外部ソースインタフェース１２は、ビデオ・オン・デマンドによる映像音声コンテンツのデータも受け付けることができる。外部ソースインタフェース１２は、入力した映像音声コンテンツのデータ又は信号を入力部１３に出力する。
【００２７】
入力部１３は、受信部１１から放送信号を受け付け、受け付けた放送信号に対して復調、復号等の信号処理を施すと共に、放送信号を映像信号と音声信号とに分離して、夫々映像制御部１４及び音声制御部１６に出力する。
入力部１３は、外部ソースインタフェース１２から映像音声コンテンツのデータ又は信号を受け付ける。入力部１３は、ケーブルテレビチューナを備え、制御部１８からの制御信号に基づいて、ケーブルテレビ用の信号を選局する。入力部１３は、受け付けたデータ、信号又は選局した信号に対して所定のデジタル処理を行い、映像信号と音声信号とを夫々生成する。入力部１３は、夫々生成した映像信号と音声信号とを、映像制御部１４及び音声制御部１６各々に出力する。
【００２８】
なお、入力部１３が出力する音声信号は、ＡＣ−３（登録商標：Audio Code number 3
）、ＤＴＳ（登録商標：digital theater system）等のマルチチャンネル音声フォーマットに従った音声信号、ステレオの音声信号、モノラルの音声信号、デュアル−モノの音声信号等を含む。
【００２９】
テレビジョン受信機１は、映像制御部１４及び表示部１５を含む。映像制御部１４は、入力部１３から映像信号を受け付け、受け付けた映像信号に含まれる各種情報を抽出する。映像制御部１４は、抽出した各種情報を制御部１８に出力する。映像制御部１４は、制御部１８から映像信号を受け付けた場合、受け付けた映像信号と、入力部１３から受け付けた映像信号とを表示部１５に出力する。
【００３０】
表示部１５は、例えば液晶ディスプレイ、有機ＥＬ（Electro Luminescence）ディスプレイ、プラズマディスプレイ等の画面を有する映像表示装置である。表示部１５は、映像制御部１４から受け付けた映像信号に係る映像を画面に表示する。
【００３１】
テレビジョン受信機１は、音声制御部１６及び音声出力部１７を含む。音声制御部１６は、入力部１３から音声信号を受け付ける。音声制御部１６は、受け付けた音声信号の音声チャンネル数に応じて、受け付けた音声信号に仮想サラウンドに係る処理を施す。音声制御部１６は、仮想サラウンドに係る処理を施した音声信号を音声出力部１７に出力する。音声制御部１６の詳細については、後述する。
【００３２】
音声出力部１７は、左スピーカ１７Ｌ及び右スピーカ１７Ｒを含む。音声出力部１７は、音声制御部１６から仮想サラウンドに係る処理が施された音声信号を受け付け、受け付けた音声信号を左スピーカ１７Ｌ及び右スピーカ１７Ｒの対のスピーカから出力する。左スピーカ１７Ｌ及び右スピーカ１７Ｒは、例えば低音域の音量が小さい周波数特性を有す。
【００３３】
テレビジョン受信機１は、制御部１８及び受光部１９を含む。制御部１８は、コンピュータ又はマイクロコンピュータである。制御部１８は、ＣＰＵ（Central Processing Unit）、ＭＰＵ（Micro Processor Unit）等のプロセッサ、ＲＯＭ（Read Only Memory）及
びＲＡＭ（Random Access Memory）を含む。制御部１８は、テレビジョン受信機１の各構成部を制御する。例えば、制御部１８は、外部のリモコン（リモートコントローラ）Ｒからの制御信号に基づいて、受信部１１、入力部１３、映像制御部１４、音声制御部１６を制御する。
制御部１８は、映像制御部１４から各種情報を受け付け、受け付けた情報に基づいて各種処理（例えば、電子番組表の生成、文字放送の文字認識、画面サイズの判別、画像の輝度分布検出、動きベクトルの検出等）を実行する。
【００３４】
受光部１９は、外部のリモコンＲから例えば赤外線を介して制御信号を受信し、受信した制御信号を制御部１８に出力する。
【００３５】
図２は、音声制御部１６の機能構成例を示す機能ブロック図である。音声制御部１６は、音声デコーダ部（音声チャンネル数抽出部）１６１、サラウンド制御部（処理部）１６２、イコライザ制御部１６３、音量制御部１６４を含む。音声制御部１６の各構成部は、制御部１８からの制御信号に基づいて動作する。
【００３６】
音声デコーダ部１６１は、入力部１３から音声信号を受け付け、受け付けた音声信号に係る音声データから音声チャンネル数を抽出する機能部である。音声デコーダ部１６１は、受け付けた音声信号がデコードされていない場合、受け付けた音声信号をデコードし、デコードした音声データから音声チャンネル数を抽出する。音声デコーダ部１６１は、受け付けた音声信号及び抽出した音声チャンネル数をサラウンド制御部１６２に出力する。
【００３７】
サラウンド制御部１６２は、音声デコーダ部１６１から音声信号及び音声チャンネル数を受け付ける。サラウンド制御部１６２は、受け付けた音声チャンネル数に応じて、異なる仮想サラウンドに係る処理を受け付けた音声信号に施す機能部である。
【００３８】
サラウンド制御部１６２は、記憶部１６２ａ、検索部１６２ｂ及び処理部１６２ｃを含む。記憶部１６２ａは、例えばＲＯＭであり、仮想サラウンド効果設定テーブルを記憶している。
図３は、仮想サラウンド効果設定テーブル１Ｔのレコードレイアウトの一例を示す説明図である。仮想サラウンド効果設定テーブル１Ｔは、音声チャンネル数と仮想サラウンド効果とを対応付けて記憶するテーブルである。
【００３９】
仮想サラウンド効果設定テーブル１Ｔは、音声チャンネル数、仮想サラウンド効果、仮想サラウンド詳細及び残響効果の各列を含む。音声チャンネル数は、音声信号又は音声データに含まれる音声チャンネル数である。なお、図３の例では、サブウーファーから出力される重低音のチャンネルに該当する０．１チャンネルは省略されている。
【００４０】
仮想サラウンド効果は、聴取者に対して前方の左スピーカ１７Ｌ及び右スピーカ１７Ｒのみでサラウンド効果を実現するため、仮想サラウンド効果を設定するか否かのフラグである。仮想サラウンド効果の列には、仮想サラウンドを実現しない場合にはオフ、仮想サラウンドを実現する場合にはオンの文字列が格納される。例えば、音声チャンネル数が１チャンネル、２チャンネル又はデュアル−モノである場合、仮想サラウンド効果はオフである。例えば、音声チャンネル数が３チャンネル以上である場合、仮想サラウンド効果はオンである。
【００４１】
仮想サラウンド詳細は、仮想サラウンド効果がオンである場合に指定される仮想サラウンド効果の詳細情報である。
例えば、音声チャンネル数が３チャンネルである場合、仮想サラウンド詳細にはフロントサラウンドが格納される。ここでのフロントサラウンドは、左右に広がり感を有するサラウンドモードに対応し、映像音声コンテンツが音楽の演奏、音楽データの再生等である場合に効果的な音場を提供する仮想サラウンド効果である。
【００４２】
例えば、音声チャンネル数が４チャンネル以上である場合、仮想サラウンド詳細にはフロント／リアサラウンドが格納される。ここでのフロント／リアサラウンドは、空間的な広がり感を有するサラウンドモードに対応し、映像音声コンテンツが映画、スポーツ等である場合に効果的な音場を提供する仮想サラウンド効果である。仮想サラウンド詳細がフロント／リアサラウンドである場合、聴取者は複数の音に包み込まれるような臨場感のある音場を体験することができる。
【００４３】
残響効果は、仮想サラウンド詳細がフロント／リアサラウンドである場合に指定される音響効果の一例である。
例えば、音声チャンネル数が４チャンネルである場合、残響効果には強が格納される。音楽コンサート、サッカー、野球等のコンテンツのチャンネル数は４チャンネルであることが多いので、音声チャンネル数が４チャンネルであるときには、コンサートホール、スタジアム内の響きに近い、強い残響効果を実現させる。
【００４４】
例えば、音声チャンネル数が５チャンネルである場合、残響効果には弱が格納される。映画の音声チャンネル数は５チャンネルである場合が多いので、音声チャンネル数が５チャンネルであるときには、映画シアター内の響きに近い、弱い残響効果を実現させる。
なお、仮想サラウンド効果設定テーブル１Ｔは、残響効果の他に、エコー、音質（周波数成分）の変化、音量変化幅の圧縮等の音響効果に関する列を含んでもよい。
【００４５】
検索部１６２ｂは、音声デコーダ部１６１が抽出した音声チャンネル数に対応する仮想サラウンド効果、仮想サラウンド詳細及び残響効果を仮想サラウンド効果設定テーブル１Ｔから検索する機能部である。
【００４６】
処理部１６２ｃは、音声デコーダ部１６１が出力した音声信号に、検索部１６２ｂが検索した仮想サラウンド効果、仮想サラウンド詳細及び残響効果に係る処理を施す機能部である。処理部１６２ｃは、ＤＳＰ（Digital Signal Processor）又はＬＳＩ（Large Scale Integration）を含む。ＤＳＰ又はＬＳＩは、頭部伝達関数に基づいて、耳の鼓膜に到
達する音の位相差、周波数特性、音圧等の変化を意図的に作り出す。
【００４７】
また、ＤＳＰ又はＬＳＩは、クロストークキャンセル処理を実行し、スピーカ再生系に生じるクロストークと逆の振動を起こすクロストーク消去信号を生成する。クロストーク消去信号に係る音声を左スピーカ１７Ｌ及び右スピーカ１７Ｒから出力することにより、任意の位置に仮想スピーカ（仮想音声出力装置）を生成することが可能となる。
【００４８】
処理部１６２ｃは、音声デコーダ部１６１が出力した音声信号に複数段階の残響効果に係る処理を施す。処理部１６２ｃは、仮想サラウンド効果設定テーブル１Ｔに登録された仮想サラウンド効果等に係る処理を施した音声信号をイコライザ制御部１６３に出力する。
【００４９】
処理部１６２ｃは、イコライザ制御部１６３に出力する音声信号の音声チャンネル数が２チャンネル以下でない場合、出力する音声信号に対して２チャンネルにダウンミックスする処理を施す。音声チャンネル数が２チャンネル以下である場合は、例えば１チャンネル、２チャンネル又はデュアル−モノである場合である。音声チャンネル数が２チャンネル以下でない場合は、例えば２．１チャンネル、３チャンネル、３．１チャンネル、４チャンネル、４．１チャンネル、５チャンネル、５．１チャンネル、６チャンネル、６．１チャンネル、７チャンネル、７．１チャンネル、８チャンネル、８．１チャンネル又は２２．２チャンネルである場合である。
【００５０】
イコライザ制御部１６３は、サラウンド制御部１６２から音声信号を受け付け、受け付けた音声信号の周波数特性を調整する機能部である。イコライザ制御部１６３は、左スピーカ１７Ｌ及び右スピーカ１７Ｒが例えば低音域の音量が小さい周波数特性を有する場合、受け付けた音声信号に係る低音域の音量を増大する。イコライザ制御部１６３は、周波数特性を調整した音声信号を音量制御部１６４に出力する。
【００５１】
音量制御部１６４は、イコライザ制御部１６３から受け付けた音声信号に係る音量を制御する機能部である。音量制御部１６４は、制御部１８からの制御信号に基づいて、受け付けた音声信号に係る音量を変更し、変更した音量を示す音声信号を音声出力部１７に出力する。
【００５２】
次に、テレビジョン受信機１の動作について、音声出力機能を中心に説明する。音声デコーダ部１６１は、入力部１３から音声信号を受け付け、受け付けた音声信号から音声チャンネル数を抽出する。音声デコーダ部１６１は、抽出した音声チャンネル数を検索部１６２ｂに出力する。また、音声デコーダ部１６１は、入力部１３から受け付けた音声信号を処理部１６２ｃに出力する。
【００５３】
検索部１６２ｂは、音声デコーダ部１６１から受け付けた音声チャンネル数に基づいて、記憶部１６２ａに記憶された仮想サラウンド効果設定テーブル１Ｔから、仮想サラウンド効果、仮想サラウンド詳細及び残響効果を検索する。検索部１６２ｂは、検索結果を処理部１６２ｃに出力する。
【００５４】
処理部１６２ｃは、検索部１６２ｂから検索結果を受け付ける。処理部１６２ｃは、検索結果の仮想サラウンド効果がオフである場合、音声デコーダ部１６１から受け付けた音声信号に対して、仮想サラウンドに係る処理を施さずに、そのまま受け付けた音声信号をイコライザ制御部１６３に出力する。ニュース番組は、モノラル放送、デュアル−モノ放送であることが多い。音声チャンネル数が２チャンネル以下の映像音声コンテンツがニュース番組である場合、仮想サラウンド効果が施されずにその音声が左スピーカ１７Ｌ及び右スピーカ１７Ｒから出力される。これにより、聴取者は落ち着いた雰囲気で報道に接することができる。
【００５５】
処理部１６２ｃは、検索部１６２ｂから受け付けた仮想サラウンド効果がオンである場合、検索部１６２ｂから受け付けた仮想サラウンド詳細を参照する。処理部１６２ｃは、検索部１６２ｂから受け付けた仮想サラウンド詳細がフロントサラウンドである場合、受け付けた音声信号に、聴取者にとって左右方向又は側方向に広がりのある音場を再現する仮想サラウンド処理を施す。このような音場は、音楽コンテンツに適切であるため、音楽モードとも呼ぶことができる。音楽モードでは、処理部１６２ｃは、仮想スピーカが聴取者の正面、右前方、左前方又は側方に配置されるように、音声信号に対して仮想サラウンドに係る処理を施す。
【００５６】
処理部１６２ｃは、検索部１６２ｂから受け付けた仮想サラウンド詳細がフロント／リアサラウンドである場合、受け付けた音声信号に、聴取者にとって前後左右方向又は周囲に広がりのある音場を再現する仮想サラウンド処理を施す。このような音場は、映画コンテンツに適切であるため、映画モードとも呼ぶことができる。映画モードでは、処理部１６２ｃは、仮想スピーカが聴取者の後方、右後方又は左後方に配置されるように、音声信号に対して仮想サラウンドに係る処理を施す。
【００５７】
処理部１６２ｃは、検索部１６２ｂから受け付けた仮想サラウンド詳細がフロント／リアサラウンドである場合、検索部１６２ｂから受け付けた残響効果を参照する。処理部１６２ｃは、検索部１６２ｂから受け付けた残響効果が強である場合、受け付けた音声信号に、強い残響効果に係る処理を施す。強い残響効果は、例えばコンサートホール、スポーツを行うスタジアム等における残響と類似の効果を奏する。
【００５８】
処理部１６２ｃは、検索部１６２ｂから受け付けた残響効果が弱である場合、受け付けた音声信号に、弱い残響効果に係る処理を施す。弱い残響効果は、例えば映画シアターにおける残響と類似の効果を奏する。
【００５９】
図４及び図５は、仮想サラウンド効果設定処理の手順の一例を示すフローチャートである。制御部１８は、音声デコーダ部１６１に対して入力された音声信号から音声チャンネル数を抽出する指示をする（ステップＳ０１）。制御部１８は、音声デコーダ部１６１に受け付けた音声信号及び抽出した音声チャンネル数をサラウンド制御部１６２に出力する指示をする（ステップＳ０２）。
【００６０】
制御部１８は、検索部１６２ｂに対して、音声デコーダ部１６１から受け付けた音声チャンネル数に基づいて、記憶部１６２ａに記憶された仮想サラウンド効果設定テーブル１Ｔを検索する指示をする（ステップＳ０３）。制御部１８は、検索部１６２ｂが検索した結果を処理部１６２ｃに出力する指示をする（ステップＳ０４）。
【００６１】
処理部１６２ｃは、検索部１６２ｂから受け付けた検索結果の仮想サラウンド効果がオフか否かを判定する（ステップＳ０５）。処理部１６２ｃは、仮想サラウンド効果がオフであると判定した場合（ステップＳ０５：ＹＥＳ）、音声デコーダ部１６１が出力した音声信号に仮想サラウンドに係る処理を施さずに（ステップＳ０６）、処理を終了する。ステップＳ０６では、処理部１６２ｃは、音声信号をそのままイコライザ制御部１６３に出力する。
【００６２】
処理部１６２ｃは、仮想サラウンド効果がオフでないと判定した場合（ステップＳ０５：ＮＯ）、検索部１６２ｂから受け付けた検索結果の仮想サラウンド詳細がフロントサラウンドか否かを判定する（ステップＳ０７）。処理部１６２ｃは、検索部１６２ｂから受け付けた検索結果の仮想サラウンド詳細がフロントサラウンドであると判定した場合（ステップＳ０７：ＹＥＳ）、受け付けた音声信号にフロントサラウンドに係る処理を施し（ステップＳ０８）、ステップＳ１３に処理を進める。
【００６３】
処理部１６２ｃは、検索部１６２ｂから受け付けた検索結果の仮想サラウンド詳細がフロントサラウンドでないと判定した場合（ステップＳ０７：ＮＯ）、受け付けた音声信号にフロント／リアサラウンドに係る処理を施す（ステップＳ０９）。処理部１６２ｃは、検索部１６２ｂから受け付けた検索結果の残響効果が強か否かを判定する（ステップＳ１０）。処理部１６２ｃは、検索部１６２ｂから受け付けた検索結果の残響効果が強であると判定した場合（ステップＳ１０：ＹＥＳ）、受け付けた音声信号に強い残響効果に係る処理を施し（ステップＳ１１）、ステップＳ１３に処理を進める。
【００６４】
処理部１６２ｃは、検索部１６２ｂから受け付けた検索結果の残響効果が強でないと判定した場合（ステップＳ１０：ＮＯ）、受け付けた音声信号に弱い残響効果に係る処理を施し（ステップＳ１２）、ステップＳ１３に処理を進める。処理部１６２ｃは、ステップＳ０８、ステップＳ１１又はステップＳ１２の処理を施した音声信号に対してミックスダウン処理を施し（ステップＳ１３）。処理を終了する。ステップＳ１３では、処理部１６２ｃは、ミックスダウン処理を施した音声信号をイコライザ制御部１６３に出力する。
【００６５】
上述では、テレビジョン受信機１を例に挙げて、スピーカ再生系について、本実施の形態を説明した。ヘッドフォン又はステレオイヤフォン再生のような受聴環境においては、クロストークが生じないためクロストークキャンセル処理は不要である。しかし、音声チャンネル数に応じて異なる仮想サラウンド効果の音場を提供する点は、ヘッドフォン又はステレオイヤフォン再生の場合においても本実施の形態と同様である。
【００６６】
テレビジョン受信機１によれば、映像音声コンテンツに対して適切な仮想サラウンドモードに自動的に切り替えることができる。
デジタル放送に係る放送データには、放送番組のジャンル情報が含まれている。そのため、デジタル放送に係る放送信号を入力する場合、ジャンル情報に基づいて異なる仮想サラウンド効果を設定することができる。しかし、ＨＤＭＩ接続により取得する映像音声コンテンツ、インターネット経由で取得するＶＯＤの映像音声コンテンツに係るデータにはジャンル情報が含まれていない。しかし、テレビジョン受信機１によれば、音声チャンネル数に応じて異なる仮想サラウンド効果を設定するため、ジャンル情報が含まれない映像音声コンテンツのデータが入力された場合であっても、適切な仮想サラウンドモードに自動的に切り替えることができる。
【００６７】
実施の形態２
実施の形態２は、音声制御部１６が、受け付けた音声信号の音声チャンネル数に応じて、受け付けた音声信号に低音強調処理を施す形態に関する。音声出力部１７は、音声制御部１６が低音強調処理を施した音声信号に係る音声を出力する。
【００６８】
図６は、音声制御部１６の機能構成例を示す機能ブロック図である。音声制御部１６は、音声デコーダ部１６１、サラウンド制御部１６２、イコライザ制御部１６３及び音量制御部１６４を含む。音声制御部１６の各構成部は、制御部１８からの制御信号に基づいて動作する。
音声デコーダ部１６１は、入力部１３から受け付けた音声信号に係る音声データから音声チャンネル数を抽出する。音声デコーダ部１６１は、受け付けた音声信号及び抽出した音声チャンネル数をサラウンド制御部１６２に出力する。また、音声デコーダ部１６１は、抽出した音声チャンネル数をイコライザ制御部１６３にも出力する。
【００６９】
サラウンド制御部１６２は、音声デコーダ部１６１から音声信号及び音声チャンネル数を受け付ける。サラウンド制御部１６２は、受け付けた音声チャンネル数に応じて、受け付けた音声信号に異なる仮想サラウンドに係る処理を施す。その詳細は、実施の形態１で述べた通りである。
サラウンド制御部１６２は、仮想サラウンドに係る処理を施した音声信号をイコライザ制御部１６３に出力する。その際、サラウンド制御部１６２は、イコライザ制御部１６３に出力する音声信号の音声チャンネル数が２チャンネル以下でない場合、出力する音声信号に対して２チャンネルにダウンミックスする処理を施す。
【００７０】
イコライザ制御部１６３は、記憶部１６３ａ、検索部１６３ｂ及び処理部１６３ｃを含む。記憶部１６３ａは、例えばＲＯＭであり、低音強調効果設定テーブルを記憶している。なお、記憶部１６３ａは、サラウンド制御部１６２の記憶部１６２ａと同じ素子により兼用されてもよい。
【００７１】
図７は、低音強調効果設定テーブル２Ｔのレコードレイアウトの一例を示す説明図である。低音強調効果設定テーブル２Ｔは、音声チャンネル数と低音強調効果とを対応付けて記憶するテーブルである。
低音強調効果設定テーブル２Ｔは、音声チャンネル数、仮想サラウンド効果、仮想サラウンド詳細、低音強調効果及び低音強調レベルの各列を含む。音声チャンネル数は、音声信号又は音声データに含まれる音声チャンネル数である。
仮想サラウンド効果及び仮想サラウンド詳細は、夫々仮想サラウンド効果設定テーブル１Ｔの仮想サラウンド効果及び仮想サラウンド詳細と同じである（図３参照）。
【００７２】
低音強調効果は、イコライザ制御部１６３が入力した音声信号に対して低音域の音声を強調するか否かのフラグである。低音強調効果の列には、低音強調を実現しない場合にはオフ、低音強調を実現する場合にはオンの文字列が格納される。例えば、音声チャンネル数がＬＥＦ（Low Frequency Effect）チャンネルを含まないチャンネル数である場合、低音強調効果はオフである。例えば、音声チャンネル数がＬＥＦチャンネルを含むチャンネル数である場合、低音強調効果はオンである。ここで、ＬＥＦチャンネルは、例えば０．１チャンネルである。
【００７３】
低音強調レベルは、低音強調効果がオンである場合に指定される低音強調効果の詳細情報の一例である。
例えば、音声チャンネル数が２．１又は３．１チャンネルである場合、低音強調レベルには弱が格納される。
ところで、音声チャンネル数が２．１チャンネルである場合、ステレオサウンドが音声出力部１７から出力される。音声チャンネル数が３．１チャンネルである場合、サラウンド制御部１６２により、左右に広がり感を有するフロントサラウンドの仮想サラウンド効果が施される。
【００７４】
例えば、音声チャンネル数が４．１又は５．１チャンネルである場合、低音強調レベルには強が格納される。
ところで、音声チャンネル数が４．１又は５．１チャンネルである場合、サラウンド制御部１６２により、空間的な広がり感を有するフロント／リアサラウンドの仮想サラウンド効果が施される。
【００７５】
フロント／リアサラウンドは、ステレオサウンドやフロントサラウンドよりも複数の音に包み込まれるサラウンド感が強くなる。そこで、サラウンド感の強弱に対応させて、低音強調効果設定テーブル２Ｔには低音強調レベルが強弱に分けて設定してある。
音声チャンネル数が２．１又は３．１チャンネルである映像音声コンテンツは、音楽の演奏、音楽データの再生等である場合が多い。一方、音声チャンネル数が４．１又は５．１チャンネルである映像音声コンテンツは、映画、スポーツ等である場合が多い。映画、スポーツ等のコンテンツでは、低音が映像効果やスポーツ観戦の楽しさをより増大させるため、音声チャンネル数が４．１又は５．１チャンネルである場合、低音強調レベルは強に設定されている。
【００７６】
検索部１６３ｂは、音声デコーダ部１６１が抽出した音声チャンネル数に対応する低音強調効果及び低音強調レベルを低音強調効果設定テーブル２Ｔから検索する機能部である。なお、検索部１６３ｂは、低音強調効果設定テーブル２Ｔからレコードを検索するための音声チャンネル数を、音声デコーダ部１６１から取得してもよいし、サラウンド制御部１６２から取得してもよい。
また、検索部１６３ｂは、サラウンド制御部１６２における検索部１６２ｂと同じ素子により兼用されてもよい。
【００７７】
処理部１６３ｃは、サラウンド制御部１６２が出力した音声信号に、検索部１６３ｂが検索した低音強調効果及び低音強調レベルに係る処理を施す機能部である。処理部１６３ｃは、ＰＥＱ（パラメトリックイコライザー）であり、複数のパラメータを有する。処理部１６３ｃは、入力した音声信号に対して、異なるパラメータを使用し、異なる低音強調レベルの低音強調処理を施す。処理部１６３ｃが有するパラメータの１つは、例えば中心となる周波数が２０Ｈｚ、調整する帯域の幅が２０Ｈｚ〜１６０Ｈｚ、ブーストする音量が１５ｄｂである。
【００７８】
処理部１６３ｃは、ミッシング・ファンダメンタル現象を利用して、入力した音声信号に低音強調処理を施してもよい。かかる場合、処理部１６３ｃは、例えば倍音生成部及び加算部を含む。倍音生成部は、入力した音声信号の低音域に含まれる基音を抽出し、抽出した基音の基本周波数に対応する倍音を生成する。加算部は、倍音生成部が生成した倍音に応じた音声信号を、入力した音声信号に加算する。
【００７９】
処理部１６３ｃは、低音強調処理を施した音声信号を音量制御部１６４に出力する。
音量制御部１６４の機能は、実施の形態１で述べたものと同じである。
【００８０】
次に、テレビジョン受信機１の動作について、イコライザ制御部１６３における低音強調機能を中心に説明する。音声デコーダ部１６１は、入力部１３から音声信号を受け付け、受け付けた音声信号から音声チャンネル数を抽出する。音声デコーダ部１６１は、抽出した音声チャンネル数と、入力部１３から受け付けた音声信号をサラウンド制御部１６２に出力する。サラウンド制御部１６２は、入力した音声信号に仮想サラウンドに係る処理を施す。サラウンド制御部１６２は、音声チャンネル数及び仮想サラウンドに係る処理を施した音声信号をイコライザ制御部１６３に出力する。
【００８１】
イコライザ制御部１６３は、サラウンド制御部１６２から音声チャンネル数及び仮想サラウンドに係る処理を施した音声信号を受け付ける。なお、イコライザ制御部１６３は、音声デコーダ部１６１から音声チャンネル数を受け付けてもよい。
検索部１６３ｂは、受け付けた音声チャンネル数に基づいて、記憶部１６３ａに記憶された低音強調効果設定テーブル２Ｔから、低音強調効果及び低音強調レベルを検索する。検索部１６３ｂは、検索結果を処理部１６３ｃに出力する。
【００８２】
処理部１６３ｃは、検索部１６３ｂから検索結果を受け付ける。処理部１６３ｃは、検索結果の低音強調効果がオフである場合、サラウンド制御部１６２から受け付けた音声信号に対して、低音強調処理を施さずに、そのまま受け付けた音声信号を音量制御部１６４に出力する。ニュース番組は、モノラル放送、デュアル−モノ放送であることが多い。音声チャンネル数が例えばデュアル−モノである場合、低音強調処理が施されずにその音声が左スピーカ１７Ｌ及び右スピーカ１７Ｒから出力される。これにより、聴取者は落ち着いた雰囲気で報道に接することができる。
【００８３】
処理部１６３ｃは、検索部１６３ｂから受け付けた低音強調効果がオンである場合、検索部１６３ｂから受け付けた低音強調レベルを参照する。処理部１６３ｃは、検索部１６３ｂから受け付けた低音強調レベルが弱である場合、受け付けた音声信号に弱い低音強調処理を施す。処理部１６３ｃは、検索部１６３ｂから受け付けた低音強調レベルが強である場合、強い低音強調処理を施す。処理部１６３ｃは、低音強調処理を施した音声信号を音量制御部１６４に出力する。左スピーカ１７Ｌ及び右スピーカ１７Ｒは、音量制御部１６４が出力した音声信号に係る音声を出力する。
【００８４】
映画、スポーツ等の映像音声コンテンツの音声チャンネル数は、４．１又は５．１チャンネルであることが多い、そのため、処理部１６３ｃが強い低音強調処理を施した場合、ユーザは例えば映画シアター、スポーツを行うスタジアムで低音を感じる場合と類似の音場を体験することができる。
他方、音楽の演奏の映像音声コンテンツの音声チャンネル数は、２．１又は３．１チャンネルであることが多い。そのため、処理部１６３ｃが弱い低音強調処理を施した場合、ユーザは例えば音楽演奏により表現される低音が強調されすぎない音場を体験することができる。
なお、図７に示した低音強調効果及び低音強調レベルは、例えばリモコンＲの操作により、カスタマイズ可能にしてもよい。
【００８５】
図８及び図９は、低音強調処理の手順の一例を示すフローチャートである。制御部１８は、音声デコーダ部１６１に対して入力された音声信号から音声チャンネル数を抽出する指示をする（ステップＳ１０１）。制御部１８は、音声デコーダ部１６１に対して、音声信号及び抽出した音声チャンネル数をサラウンド制御部１６２に出力するように指示する（ステップＳ１０２）。制御部１８は、サラウンド制御部１６２に仮想サラウンド処理を施した音声信号及び音声デコーダ部１６１から受け付けた音声チャンネル数をイコライザ制御部１６３に出力する指示をする（ステップＳ１０３）。
【００８６】
制御部１８は、検索部１６３ｂに対して、サラウンド制御部１６２から受け付けた音声チャンネル数に基づいて、記憶部１６３ａに記憶された低音強調効果設定テーブル２Ｔを検索する指示をする（ステップＳ１０４）。制御部１８は、検索部１６３ｂが検索した結果を処理部１６３ｃに出力する指示をする（ステップＳ１０５）。
【００８７】
処理部１６３ｃは、検索部１６３ｂから受け付けた検索結果の低音強調効果がオフか否かを判定する（ステップＳ１０６）。処理部１６３ｃは、低音強調効果がオフであると判定した場合（ステップＳ１０６：ＹＥＳ）、サラウンド制御部１６２が出力した音声信号に低音強調処理を施さずに（ステップＳ１０７）、処理を終了する。ステップＳ１０６では、処理部１６３ｃは、音声信号をそのまま音量制御部１６４に出力する。
【００８８】
処理部１６３ｃは、低音強調効果がオフでないと判定した場合（ステップＳ１０６：ＮＯ）、検索部１６３ｂから受け付けた検索結果の低音強調レベルが弱か否かを判定する（ステップＳ１０８）。処理部１６３ｃは、検索部１６３ｂから受け付けた検索結果の低音強調レベルが弱であると判定した場合（ステップＳ１０８：ＹＥＳ）、受け付けた音声信号に弱い低音強調処理を施し（ステップＳ１０９）、処理を終了する。
【００８９】
処理部１６３ｃは、検索部１６３ｂから受け付けた検索結果の低音強調レベルが弱でないと判定した場合（ステップＳ１０８：ＮＯ）、受け付けた音声信号に強い低音強調処理を施し（ステップＳ１１０）、処理を終了する。
【００９０】
テレビジョン受信機１によれば、入力音声信号の音声に近い音質の音声を出力することができる。
サラウンド制御部１６２は、音声信号に仮想サラウンド処理を施した後、２チャンネルの音声信号にミックスダウンする。その際に、ＬＥＦチャンネルの音声信号は破棄される。また、テレビジョン受信機１が備える左スピーカ１７Ｌ及び右スピーカ１７Ｒが薄型である場合、低音域の音声を出力することが困難である。しかし、音声デコーダ部１６１が抽出した音声チャンネル数がＬＥＦチャンネルを含むチャンネル数である場合、イコライザ制御部１６３は、低音強調処理を実行する。これにより、テレビジョン受信機１は、出力する音声の音質を、元々の音声信号に係る音質に近づけることができる。
【００９１】
実施の形態２は以上の如きであり、その他は実施の形態１と同様であるので、対応する部分には同一の参照番号を付してその詳細な説明を省略する。
【００９２】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【００９３】
また、各実施の形態で記載されている技術的特徴（構成要件）はお互いに組合せ可能であり、組み合わせすることにより、新しい技術的特徴を形成することができる。
【符号の説明】
【００９４】
１        テレビジョン受信機
１１      受信部
１２      外部ソースインタフェース
１３      入力部（抽出部）
１５      表示部
１６      音声制御部
１６１    音声デコーダ部（音声チャンネル数抽出部）
１６２    サラウンド制御部（処理部）
１６２ａ  記憶部
１６２ｂ  検索部
１６２ｃ  処理部
１６３    イコライザ制御部（低音強調処理部）
１６３ａ  記憶部
１６３ｂ  検索部
１６３ｃ  処理部
１７      音声出力部
１７Ｌ    左スピーカ
１７Ｒ    右スピーカ
【図１】
2014014062.tif 000003
【図２】
2014014062.tif 000004
【図３】
2014014062.tif 000005
【図４】
2014014062.tif 000006
【図５】
2014014062.tif 000007
【図６】
2014014062.tif 000008
【図７】
2014014062.tif 000009
【図８】
2014014062.tif 000010
【図９】
2014014062.tif 000011